(57)【要約】      （修正有）【課題】記録ヘッド間及びそれを駆動するＩＣチップ間に生じる温度差を小さくしてノズルからのインクの吐出特性が変化することを抑え、高品質の記録を行うことができるインクジェット記録装置を提供すること。【解決手段】吐出頻度の高いブラックインク用のノズル群を２個の記録ヘッド７ａ，７ｂに分けると共に、その他のインク色に対応するノズル群を記録ヘッド７ａ，７ｂに略同数に分けているので、１つのインク色が連続的に吐出された場合であっても、記録ヘッド７ａ，７ｂ及びそれを駆動するＩＣチップ３３ａ，３３ｂで発する熱が略同等となり、記録ヘッド７ａ，７ｂ間及びＩＣチップ３３ａ，３３ｂ間に生じる温度差を小さくできる。よって、記録ヘッド７ａ，７ｂ間で、ノズルからの吐出特性が変化することを抑えることができ、高品質の記録を行うことができる。【選択図】図２
2005193497.tif 000002
【特許請求の範囲】
【請求項１】
複数のインク色に対応する複数群のノズルを有する記録ヘッドを、複数個備え、前記複数のインク色のうちインクの吐出頻度が高いインク色に対応するノズル群を前記複数個の記録ヘッドにそれぞれ分けて設けたことを特徴とするインクジェット記録装置。
【請求項２】
さらに前記ノズルからインクを吐出するように前記記録ヘッドを駆動する駆動回路を、前記複数個の記録ヘッドに対応して複数個に分けて備えたことを特徴とする請求項１に記載のインクジェット記録装置。
【請求項３】
前記記録ヘッドを２個備え、各ヘッドに対応する前記駆動回路を、前記各ヘッドからそれぞれ反対方向に延びるフレキシブル配線基板に接続し、前記方向の両側に配置した各ヒートシンクに前記各駆動回路を熱伝導可能に配置したことを特徴とする請求項２に記載のインクジェット記録装置。
【請求項４】
前記記録ヘッドを２個備え、その一方の記録ヘッドの前記吐出頻度が高いノズル群が他の記録ヘッドの前記吐出頻度が高いノズル群に対して対称になるように２個の記録ヘッドを配列したことを特徴とする請求項１から３のいずれかに記載のインクジェット記録装置。
【請求項５】
前記各記録ヘッドは、それぞれ同じ前記複数のインク色に対応するノズル群を有していることを特徴とする請求項４に記載のインクジェット記録装置。
【請求項６】
前記各記録ヘッドは、それぞれ前記吐出頻度が高いノズル群を含み、互いに異なる前記複数のインク色に対応するノズル群を有していることを特徴とする請求項４に記載のインクジェット記録装置。
【請求項７】
複数のインク色に対応する複数群のノズルを有し、かつ複数のインク色のうちインクの吐出頻度が高いインク色に対応するノズル群を複数群有する記録ヘッドと、
前記ノズルからインクを吐出するように前記記録ヘッドを駆動する駆動回路とを備え、
前記駆動回路を、それぞれ複数のインク色を含む複数の群に分けて構成するとともに、前記吐出頻度が高いインク色の複数のノズル群を前記複数の群の駆動回路にそれぞれ分けて設けたことを特徴とするインクジェット記録装置。
【請求項８】
前記ノズルを、前記吐出頻度が高いインク色のノズルと他のインク色のノズルとをそれぞれ同数含む複数のグループに分け、各グループ毎に前記駆動回路を設けたことを特徴とする請求項７に記載のインクジェット記録装置。
【請求項９】
前記ノズルを、前記吐出頻度が高いインク色のノズルと他のインク色のノズルとをそれぞれ含む２個のグループに分け、各グループに対応する２個の前記駆動回路を、その各グループからそれぞれ反対方向に延びるフレキシブル配線基板に接続し、前記方向の両側に配置した各ヒートシンクに前記各駆動回路を熱伝導可能に配置したことを特徴とする請求項７に記載のインクジェット記録装置。
【請求項１０】
前記各グループは、それぞれ同じ前記複数のインク色に対応するノズル群を有していることを特徴とする請求項８または９に記載のインクジェット記録装置。
【請求項１１】
前記各グループは、それぞれ前記吐出頻度が高いノズル群を含み、互いに異なる前記複数のインク色に対応するノズル群を有していることを特徴とする請求項８または９に記載のインクジェット記録装置。
【請求項１２】
前記吐出頻度が高いノズルは、ブラックインク用のノズルであることを特徴とする請求項１から１１のいずれかに記載のインクジェット記録装置。
【発明の詳細な説明】
【技術分野】
【０００１】
本発明は、インクジェット記録装置に関し、特に、複数のインク色のノズルをそれぞれ有する複数の記録ヘッド間に生じる温度差及び複数のインク色のノズルをそれぞれ駆動する複数の駆動回路間に生じる温度差が小さくなるようにしたインクジェット記録装置に関するものである。
【背景技術】
【０００２】
特開昭６１−１０４８５６号公報（特許文献１）に開示されているように、ブラックインクによる記録速度を落とすことなく同時にカラーインクによる記録を行うことができるインクジェット記録装置が知られている。このインクジェット記録装置の記録ヘッドには、２４個のブラックインク用のノズルと、それぞれ６個のシアンインク用のノズル、イエローインク用のノズル及びマゼンタインク用のノズルとが形成されている。白黒記録を行う場合には、２４個のブラックインク用のノズルにより記録速度を落とすことなく記録を行うことができる。カラー記録を行う場合には、カラーインク用のノズル数が少ないため記録速度は遅くなるが、２４個のブラックインク用のノズル及びそれぞれ６個のカラーインク用のノズルから吐出される４色のインクを混合して計７色のカラー記録を行うことができる。よって、文字などのドキュメントの記録速度を維持しつつ同時にカラー印刷を行うことができる。
【０００３】
しかし、近年では、ノズルの加工技術が進歩して狭い範囲内に多くのノズルを形成することが可能となり、インク色毎にノズル数を換えることなく、白黒記録及びカラー記録を同時に高速で行うことができるインクジェット記録装置が知られている。また、記録媒体への記録品質の高品質化に伴い近年さらにノズル数が増加している。１つの記録ヘッドに多数のノズルを形成しその多数のノズルを１つのＩＣチップ（駆動回路）で動作させると、ＩＣチップが発熱すると共にＩＣチップによって駆動される記録ヘッド自体も発熱する。そのため、記録ヘッドとＩＣチップとを２個に分けて、各ＩＣチップ及び記録ヘッドの発熱を抑制する構成のインクジェット記録装置が知られている。
【０００４】
特開２００２−２４０３０６号公報（特許文献２）及び特開２００３−８０７９３号公報（特許文献３）には、記録ヘッドが２個で構成されたインクジェット記録装置が開示されている。このインクジェット記録装置の２個の記録ヘッドには、その記録ヘッドからインクを吐出するためにその記録ヘッドに備えられた各圧力発生手段と電気的に接続されるフレキシブル配線基板が積層され、そのフレキシブル配線基板上には、駆動信号を出力するＩＣチップがそれぞれ配置されている。ＩＣチップはヒートシンクの一部分と接触し、ＩＣチップの発する熱はヒートシンクを介して外部に放熱される。
【０００５】
２つの記録ヘッドの内一方の記録ヘッドには、ブラックインク、シアンインク、イエローインク及びマゼンタインクの４色のインクの内、２つのインク色に対応するノズルが列状に配列され、他方の記録ヘッドには、一方の記録ヘッドとは異なる２つのインク色に対応するノズルが列状に配列されている。
【特許文献１】特開昭６１  −１０４８５６号公報（第２図等）
【特許文献２】特開２００２−２４０３０６号公報（第４図、第６図等）
【特許文献３】特開２００３−０８０７９３号公報（第６図、第９図、第１４図等）
【発明の開示】
【発明が解決しようとする課題】
【０００６】
しかしながら、上述したインクジェット記録装置では、一方の記録ヘッドに４色のインクの内２色のインクに対応したノズルを配列し、他方の記録ヘッドには残りの２色のインクに対応したノズルを配列しているため、１つのインク色（例えばブラックインク）が連続して多量に吐出されると、片側のＩＣチップのみが極端に発熱し、そのＩＣチップの熱は記録ヘッドにも熱伝達される。さらに、ＩＣチップからの駆動信号によって連続して圧力発生手段が駆動されると、その圧力発生手段も発熱するので、片側の記録ヘッドの温度が上昇し２個の記録ヘッド間に温度差が生じてしまう。このように、２個のＩＣチップ間に温度差が生じると、駆動信号の立ち上がり立ち下がり特性が変わり、圧力発生手段の駆動に差が生じる。また２個の記録ヘッド間に温度差が生じると、圧力発生手段の駆動特性が変化したりインクの粘度が変化するため、２個の記録ヘッドでのノズルからの吐出特性が変わり、記録媒体への記録品質が低下するという問題点があった。
【０００７】
本発明は、上述した問題を解決するためになされたものであり、記録ヘッド間あるいは駆動回路間に生じる温度差を小さくしてノズルからのインクの吐出特性が変化することを抑え、高品質の記録を行うことができるインクジェット記録装置を提供することを目的としている。
【課題を解決するための手段】
【０００８】
この目的を達成するために請求項１記載のインクジェット記録装置は、複数のインク色に対応する複数群のノズルを有する記録ヘッドを複数個備えており、前記複数のインク色のうちインクの吐出頻度が高いインク色に対応するノズル群を前記複数個の記録ヘッドにそれぞれ分けて設けた。
【０００９】
請求項２記載のインクジェット記録装置は、請求項１記載のインクジェット記録装置において、さらに前記ノズルからインクを吐出するように前記記録ヘッドを駆動する駆動回路を、前記複数個の記録ヘッドに対応して複数個に分けて備えた。
【００１０】
請求項３記載のインクジェット記録装置は、請求項２記載のインクジェット記録装置において、前記記録ヘッドを２個備え、各ヘッドに対応する前記駆動回路を、前記各ヘッドからそれぞれ反対方向に延びるフレキシブル配線基板に接続し、前記方向の両側に配置した各ヒートシンクに前記各駆動回路を熱伝導可能に配置した。
【００１１】
請求項４記載のインクジェット記録装置は、請求項１から３のいずれかに記載のインクジェット記録装置において、前記記録ヘッドを２個備え、その一方の記録ヘッドの前記吐出頻度が高いノズル群が他の記録ヘッドの前記吐出頻度が高いノズル群に対して対称になるように２個の記録ヘッドを配列した。
【００１２】
請求項５記載のインクジェット記録装置は、請求項４記載のインクジェット記録装置において、前記各記録ヘッドは、それぞれ同じ前記複数のインク色に対応するノズル群を有している。
【００１３】
請求項６記載のインクジェット記録装置は、請求項４記載のインクジェット記録装置において、前記各記録ヘッドは、それぞれ前記吐出頻度が高いノズル群を含み、互いに異なる前記複数のインク色に対応するノズル群を有している。
【００１４】
請求項７記載のインクジェット記録装置は、複数のインク色に対応する複数群のノズルを有し、かつ複数のインク色のうちインクの吐出頻度が高いインク色に対応するノズル群を複数群有する記録ヘッドと、前記ノズルからインクを吐出するように前記記録ヘッドを駆動する駆動回路とを備えており、前記駆動回路を、それぞれ複数のインク色を含む複数の群に分けて構成するとともに、前記吐出頻度が高いインク色の複数のノズル群を前記複数の群の駆動回路にそれぞれ分けて設けた。
【００１５】
請求項８記載のインクジェット記録装置は、請求項７記載のインクジェット記録装置において、前記ノズルを、前記吐出頻度が高いインク色のノズルと他のインク色のノズルとをそれぞれ同数含む複数のグループに分け、各グループ毎に前記駆動回路を設けた。
【００１６】
請求項９記載のインクジェット記録装置は、請求項７記載のインクジェット記録装置において、前記ノズルを、前記吐出頻度が高いインク色のノズルと他のインク色のノズルとをそれぞれ含む２個のグループに分け、各グループに対応する２個の前記駆動回路を、その各グループからそれぞれ反対方向に延びるフレキシブル配線基板に接続し、前記方向の両側に配置した各ヒートシンクに前記各駆動回路を熱伝導可能に配置した。
【００１７】
請求項１０記載のインクジェット記録装置は、請求項８又は９に記載のインクジェット記録装置において、前記各グループは、それぞれ同じ前記複数のインク色に対応するノズル群を有している。
【００１８】
請求項１１記載のインクジェット記録装置は、請求項８又は９に記載のインクジェット記録装置において、前記各グループは、それぞれ前記吐出頻度が高いノズル群を含み、互いに異なる前記複数のインク色に対応するノズル群を有している。
【００１９】
請求項１２記載のインクジェット記録装置は、請求項１から１１のいずれかに記載のインクジェット記録装置において、前記吐出頻度が高いノズルは、ブラックインク用のノズルである。
【発明の効果】
【００２０】
請求項１記載のインクジェット記録装置によれば、複数のインク色に対応する複数群のノズルを有する記録ヘッドが複数個備えられ、複数のインク色のうちインクの吐出頻度が高いインク色に対応するノズル群が複数個の記録ヘッドにそれぞれ分けられて設けられているので、複数の記録ヘッド間に生じる温度差を小さくすることができる。よって、インクのノズルからの吐出特性が変化することを抑え、高品質の記録を行うことができるとうい効果がある。
【００２１】
請求項２記載のインクジェット記録装置によれば、請求項１記載のインクジェット記録装置の奏する効果に加え、ノズルからインクを吐出するために記録ヘッドを駆動する駆動回路が備えられ、その駆動回路は複数個の記録ヘッドに対応して複数個に分けて備えられているので、駆動回路の発熱及び記録ヘッドの発熱を略均等化することができ、ノズルからのインクの吐出特性が変化することを抑え、より高品質の記録を行うことができるという効果がある。
【００２２】
請求項３記載のインクジェット記録装置によれば、請求項２記載のインクジェット記録装置の奏する効果に加え、記録ヘッドは２個備えられており、各記録ヘッドに対応する駆動回路は、各記録ヘッドからそれぞれ反対方向に延びるフレキシブル配線基板に接続されている。さらに、各駆動回路は、その反対方向両側に配置された各ヒートシンクにより熱伝導可能に配置されている。よって、駆動回路が発する熱はヒートシンクに熱伝導して放熱されるので、駆動回路が高温となることを低減できると共に駆動回路の熱が記録ヘッドに熱伝導することを低減することができるという効果がある。
【００２３】
請求項４記載のインクジェット記録装置によれば、請求項１から３のいずれかに記載のインクジェット記録装置の奏する効果に加え、一方の記録ヘッドの吐出頻度が高いノズル群が他の記録ヘッドの吐出頻度が高いノズル群に対して対称になるように２個の記録ヘッドが配列されているので、各記録ヘッドにおいて発熱する部分が対称となり、各記録ヘッドの発熱状態を略均等にすることができる。よって、２個の記録ヘッド間でのノズルからの吐出特性の変化を小さく抑えることができるので、高品質の記録を行うことができるという効果がある。
【００２４】
請求項５記載のインクジェット記録装置によれば、請求項４記載のインクジェット記録装置の奏する効果に加え、各記録ヘッドは、それぞれ同じ複数のインク色に対応するノズル群を有しているので、２つの記録ヘッドの発熱は２個の記録ヘッド間で略均等になり、記録ヘッド間でのノズルからの吐出特性の変化を小さく抑えることができ、より高品質の記録を行うことができるという効果がある。
【００２５】
請求項６記載のインクジェット記録装置によれば、請求項４記載のインクジェット記録装置の奏する効果に加え、各記録ヘッドは、それぞれ吐出頻度が高いノズル群を含み、互いに異なる複数のインク色に対応するノズル群を有している。それぞれの記録ヘッドに複数のインク色に対応する全てのノズルを配列した場合、各インク色のノズルの配列位置が離ればなれになるため、そのノズルにインクを供給するまでの構造が複雑になってしまう。しかし、本発明では、異なる複数のインク色に対応するノズル群を各記録ヘッドに配列し、全てのインク色のノズル配列位置が離ればなれにならないので、各ノズルへのインクの供給構造を簡略化することができるという効果がある。
【００２６】
請求項７記載のインクジェット記録装置によれば、複数のインク色に対応する複数群のノズルを有し、複数のインクの内インクの吐出頻度が高いインク色に対応するノズル群を複数群有する記録ヘッドを備え、駆動回路によって駆動されてノズルからインクが吐出される。また、その駆動回路は、それぞれ複数のインク色を含む複数の群に分けられて構成されると共に、吐出頻度が高いインク色の複数のノズル群がその複数の群の駆動回路にそれぞれ分けられている。よって、吐出頻度が高いインク色に対応する複数のノズル群は、それぞれ異なる駆動回路によって駆動されるので、１つの駆動回路のみが極端に発熱することを防止できる。従って、駆動回路毎に、駆動回路からの駆動信号の出力特性、即ち駆動パルスの立ち上がり立ち下がりの特性が変わって、その結果、各駆動回路に対応するノズル群でのノズルからの吐出特性が変化することを抑えられるので、高品質の記録を行うことができるという効果がある。
【００２７】
請求項８記載のインクジェット記録装置によれば、請求項７記載のインクジェット記録装置の奏する効果に加え、ノズルは、吐出頻度が高いインク色のノズルと他のインク色のノズルとをそれぞれ同数含む複数のグループに分けられ、各グループ毎に駆動回路が設けられているので、駆動回路の発熱を略均等にすることができ、各グループでのノズルからの吐出特性が変化することを抑えられ、より高品質の記録を行うことができるという効果がある。
【００２８】
請求項９記載のインクジェット記録装置によれば、請求項７記載のインクジェット記録装置の奏する効果に加え、ノズルを、吐出頻度が高いインク色のノズルと他のインク色のノズルとをそれぞれ含む２個のグループに分け、各グループに対応する２個の駆動回路を、その各グループからそれぞれ反対方向に延びるフレキシブル配線基板に接続し、反対方向の両側に配置した各ヒートシンクに各駆動回路を熱伝導可能に配置した。よって、駆動回路が発する熱はヒートシンクに熱伝導して放熱されるので、駆動回路が高温となることを低減できると共に、駆動回路の熱が各グループに熱伝導することを低減することができるという効果がある。
【００２９】
請求項１０記載のインクジェット記録装置によれば、請求項８又は９に記載のインクジェット記録装置の奏する効果に加え、各グループは、それぞれ同じ複数のインク色に対応するノズル群を有しているので、各ブループ毎の発熱を略均等化することができる。よって、１つの駆動回路のみが極端に発熱することを防止できるので、それに対応する記録ヘッドでのノズルからのインクの吐出特性の変化を抑えられ、記録媒体への記録をより確実に高品質に行うことができるという効果がある。
【００３０】
請求項１１記載のインクジェット記録装置によれば、請求項８又は９に記載のインクジェット記録装置の奏する効果に加え、各グループは、それぞれ吐出頻度が高いノズル群を含み、互いに異なる複数のインク色に対応するノズル群を有している。それぞれのグループに複数のインク色に対応する全てのノズルを配列した場合、各インク色のノズルの配列位置が離ればなれになるため、そのノズルにインクを供給するまでの構造が複雑になってしまう。しかし、本発明では、異なる複数のインク色に対応するノズル群を各グループに配列するので、全てのインク色のノズル配列位置が離ればなれにならないので、各ノズルへのインクの供給構造を簡略化することができるという効果がある。
【００３１】
請求項１２記載のインクジェット記録装置によれば、請求項１から１１のいずれかに記載のインクジェット記録装置の奏する効果に加え、吐出頻度が高いノズルは、ブラックインク用のノズルであるので、文字などのドキュメントを多く記録するインクジェット記録装置に用いることができるという効果がある。
【発明を実施するための最良の形態】
【００３２】
以下、本発明の好ましい実施例について、添付図面を参照して説明する。図１は、本発明の第１実施例におけるインクジェット記録装置１と、そのインクジェット記録装置１に装着されるインクカートリッジ２とを示した概略図である。
【００３３】
インクジェット記録装置１は、インクカートリッジ２を着脱可能に装着する装着部３と、インクカートリッジ２からインク供給チューブ４を介して供給されるインクを貯留するインクタンク５と、そのインクタンク５に貯留されたインクを記録媒体６に向けて吐出する記録ヘッド７と、インクタンク５と記録ヘッド７とを備える記録ヘッドユニット８が搭載され直線方向に往復動作するキャリッジ９と、そのキャリッジ９が往復移動するガイドとなるキャリッジ軸１０と、記録媒体６を搬送する搬送機構１１と、パージ装置１２とを備えている。
【００３４】
インクカートリッジ２は、シアン、マゼンタ、イエロー、ブラック等の複数色のカラーインク毎に設けられ、インクジェット記録装置１に装着されてカラー印刷が可能に構成されている。
【００３５】
装着部３は、ベース部３ａと、そのベース部３ａの両側から立設するガイド部３ｂとから成り、ガイド部３ｂに挟まれたベース部３ａからは、インクカートリッジ２内に貯留されたインクを抽出する中空状のインク抽出管１３と、インクカートリッジ２内に外気を導入する中空状の外気導入管１４とが突出して配設されている。
【００３６】
このインク抽出管１３の一端側には、インク供給チューブ４が連結され、インク抽出管１３は、インク供給チューブ４を介してインクタンク５と連通されている。外気導入管１４の一端側には、外気導入チューブ１５が連結され、外気導入管１４は、外気導入チューブ１５を介して外気と連通されている。
【００３７】
パージ装置１２は、記録範囲外であって記録ヘッド７に対向するように配置されており、記録ヘッド７のノズル１６（図３参照）形成面を覆うパージキャップ１２ａと、パージキャップ１２ａと連通する廃インクチューブ１２ｂと、廃インクチューブ１２ｂを介してノズル１６からインクを吸引するポンプ１２ｃとを備えている。
【００３８】
次に、図２〜図５を参照して、記録ヘッドユニット８の構造を説明する。図２は断面図であり、図３は下面図であり、図４は、記録ヘッド７ａ及びフレキシブル配線基板２７ａの分解斜視図であり、図５は、図２のＩＩＩ−ＩＩＩ断面線図である。
【００３９】
記録ヘッドユニット８は、上述したようにインクタンク５及び記録ヘッド７を備えており、そのインクタンク５を内側に配置すると共に記録ヘッド７を支持するヘッドホルダ２０と、そのヘッドホルダ２０の上部に位置しインクジェット記録装置１の本体側に静置された制御回路にフレキシブルケーブルを介して接続されるプリント基板２１とをさらに備えている。
【００４０】
記録ヘッド７は、ヘッドホルダ２０の記録媒体６と対向する底部に２個７ａ，７ｂ支持されている。記録ヘッド７ａ，７ｂの下面（図３参照）には、複数のインク色に対応した複数群のノズル１６が列状に配列されている。記録ヘッド７ａ，７ｂはノズル１６の列が互いに略平行となるように、ノズル列の方向（以後、第１の方向と称す）と略直交する第２の方向に並んで支持されている。
【００４１】
なお、この実施例において各記録ヘッド７ａ，７ｂごとにイエローインク用のノズル１６ｙ１，１６ｙ２、シアンインク用のノズル１６ｃ１，１６ｃ２、マゼンタインク用のノズル１６ｍ１，１６ｍ２及びブラックインク用のノズル１６ｋ１，１６ｋ２が１列（１群）ずつ配置されているが、インク色に応じて列数を異ならせたり、列方向に複数の群に分けて配置することもできる。また、２個の記録ヘッド７ａ，７ｂの同色のノズルは、キャリッジ９の走査方向に同一線上に配置しても良いが、ノズル列方向に半ピッチずらせて配置しても良い。
【００４２】
なお、一般にはは、ブラックインクによる文字などのドキュメントを多く記録する機会が多いため、ノズル１６ｋ１，１６ｋ２がインクの吐出頻度が高いインク色に対応するノズル群である。即ち、記録ヘッド７ａ，７ｂは、吐出頻度が高いブラックインク用のノズル群であるノズル１６ｋ１，１６ｋ２が分けられていると共に、それぞれ同じ複数のインク色に対応するノズル群を有している。また、各ノズル群の配列状態は、２個の記録ヘッド７ａ，７ｂ間の中心を通る線に対して左右対称となっている。
【００４３】
インクタンク５は、各インクの色に応じて、シアンインク用の２つのインクタンク５ｃ１，５ｃ２、イエローインク用の２つのインクタンク５ｙ１，５ｙ２、マゼンタインク用の２つのインクタンク５ｍ１，５ｍ２及びブラックインク用のインクタンク５ｋから成る。各インクタンクは、管３１ｙ１，３１ｃ１，３１ｍ１，３１ｋ１，３１ｙ２，３１ｃ２，３１ｍ２，３１ｋ２によって記録ヘッド７ａ，７ｂの後述するインク供給口３０ｙ１，３０ｃ１，３０ｍ１，３０ｋ２，３０ｙ２，３０ｃ２，３０ｍ２，３０ｋ２に接続される。なお、インクタンク５ｋは、インクの吐出頻度が高いため、その他のインクタンクに比べて容量が大きく形成されている。
【００４４】
ヘッドホルダ２０は、上下に立ち上がった一対の側壁２０ｂ及び一対の側壁２０ｃとにより略箱状に形成され、その内部に、記録ヘッド７ａ，７ｂが配置される空間２２とインクタンク５が配置される空間２３とを区画する底壁２０ａを有する。
【００４５】
ヘッドホルダ２０の開放された下面には、空間２２を閉塞すると共に、各ノズル１６を外部に露出する露出口が形成された閉塞部材２４が固着されている。記録ヘッド７ａ，７ｂは、底壁２０ａの下面に接着剤（図示せず）によって固着されている。
【００４６】
各記録ヘッド７ａ，７ｂは、それぞれ複数のプレートを積層して形成されるキャビティプレート２５ａ，２５ｂと、プレート型の圧電アクチュエータプレート２６ａ，２６ｂとにより構成されている。キャビティプレート２５ａ，２５ｂは、上面にインク供給口３０ｙ１，３０ｃ１，３０ｍ１，３０ｋ１，３０ｙ２，３０ｃ２，３０ｍ２，３０ｋ２（記録ヘッド７ａについてのみ図４で図示）を有し、特開２００２−２４０３０６号公報に記載されまた公知のものと同様に、その各インク供給口から延びるマニホールド流路を介して複数の圧力室にインクが分配され、各圧力室から対応する各ノズル１６ｙ１，１６ｃ１，１６ｍ１，１６ｋ１，１６ｙ２，１６ｃ２，１６ｍ２，１６ｋ２に至る構成である。圧電アクチュエータプレート２６ａ，２６ｂは、上記各圧力室と対応する複数の圧力発生手段すなわち圧電変形部を有し、その上面に各圧電変形部に接続された電極４１ｙ，４１ｃ，４１ｍ，４１ｋ（記録ヘッド７ａについてのみ図４で図示）を有する。
【００４７】
各圧電アクチュエータプレート２６ａ，２６ｂの上面には、可撓性を有するフレキシブル配線基板２７ａ，２７ｂがそれぞれ積層され、各電極には各フレキシブル配線基板２７ａ，２７ｂに搭載された駆動回路を内装するＩＣチップ３３ａ，３３ｂから延びる配線パターン（図示せず）が接続されている。ＩＣチップ３３ａ，３３ｂから圧電アクチュエータプレート２６ａ，２６ｂの各圧電変形部に駆動パルスが供給されると、上記圧力室内のインクに圧力が付与され、ノズルからインクを下向きに吐出することができる。
【００４８】
フレキシブル配線基板２７ａ，２７ｂは、図４に示すように、電極４１ｙ，４１ｃ，４１ｍ，４１ｋの列方向すなわちノズル列方向に幅を有し、２つの記録ヘッド７ａ，７ｂから互いに反対方向であってかつ第２の方向に延びている。フレキシブル配線基板２７ａ，２７ｂは、底壁２０ａに形成される連通路２８ａ，２８ｂを通って上部の空間２３に入り、２個の記録ヘッド７ａ，７ｂの配列方向両側の側壁２０ｂと略平行にヘッドホルダ２０上方に延びて配設されている。そしてフレキシブル配線基板２７ａ，２７ｂの先端の端子部４３ａは、それぞれヘッドホルダ２０の上部に配置されたプリント基板２１にコネクタ３２ａ，３２ｂにより接続される。
【００４９】
ＩＣチップ３３ａ，３３ｂは、記録ヘッド７ａ，７ｂからそれぞれ反対方向の両側で且つ記録ヘッド７ａ，７ｂとプリント基板２１との間において略中間となる位置に配設され、ＩＣチップ３３ａ，３３ｂから発する熱が記録ヘッド７ａ，７ｂに伝わることを低減している。略中間となる位置は、底壁２０ａから立ち上がった側壁２０ｂの略中間位置となっている。なお、ＩＣチップ３３ａ，３３ｂの配設位置は、記録ヘッド７ａ，７ｂに熱が伝わることを低減できる位置であれば良いので、記録ヘッド７ａ，７ｂとプリント基板２１との間において少なくとも中間となる位置よりプリント基板２１側に配設するものとしても良い。
【００５０】
記録ヘッドユニット８には、ＩＣチップ３３ａ，３３ｂと熱伝導可能に配置されそのＩＣチップ３３ａ，３３ｂが発する熱を放熱するヒートシンク３５ａ，３５ｂが、記録ヘッド７ａ，７ｂのそれぞれの反対方向両側に配置されている。
【００５１】
ヒートシンク３５ａ，３５ｂは、図２に示すように、２個の記録ヘッド７ａ，７ｂの配列方向両側の側壁２０ｂ，２０ｂの内側に、その側壁２０ｂ，２０ｂと間隔を置いて平行に配置される側壁部３７ａ，３７ｂと、各側壁部３７ａ，３７ｂの上端を延長して側壁２０ｂ，２０ｂの上部を逆Ｕ字状に越えヘッドホルダ２０の外方に露出する露出部３８ａ，３８ｂとを備えている。
【００５２】
図５に示すように、ヒートシンク３５ａ，３５ｂの露出部３８ａの湾曲した部分には、フレキシブル配線基板２７ａを記録ヘッド７ａ側からプリント基板２１（図２参照）側に通す貫通孔３９ａが形成されている。ヒートシンク３５ａ，３５ｂは、底壁２０ａに突出した２つの取付ボス３４によって固着され、ヘッドホルダ２０内に取り付けられている。
【００５３】
フレキシブル配線基板２７ａ，２７ｂは、各ヒートシンク３５ａ，３５ｂと側壁２０ｂ，２０ｂとの間を通って配置され、ＩＣチップ３３ａ，３３ｂは、その側壁２０ｂ，２０ｂに固着されたゴム状弾性部材３６ａ，３６ｂによってヒートシンク３５ａ，３５ｂと熱伝導可能に接触するように押圧されている。
【００５４】
以上、説明したように、上記インクジェット記録装置１によれば、吐出頻度の高いノズル１６ｋ１，１６ｋ２を記録ヘッド７ａ，７ｂにそれぞれ分けると共に、各インク色に対応する複数のノズル群を２個の記録ヘッド７ａ，７ｂに略同数に分けて配列している。この２個の記録ヘッド７ａ，７ｂの同色のノズル列には、通常の１色について２列のノズルを有する記録ヘッドと同様に、本体側の制御回路から記録データが、一方の列に意図的に偏ることなく割り当てられる。したがって、ノズル１６ｋ１，１６ｋ２からブラックインクが頻繁に吐出されたとしても、また他の１つのインクが連続的に吐出されたとしても、記録ヘッド７ａ，７ｂ間に生じる温度差を小さくできる。さらに、ＩＣチップ３３ａ，３３ｂは、記録ヘッド７ａ，７ｂに対して個別に駆動信号を出力するので、ＩＣチップ３３ａ、３３ｂの温度差も小さくなる。よって、ＩＣチップ３３ａ，３３ｂ間で、各ＩＣチップからの駆動信号の出力特性、即ち、駆動パルスの立ち上がり立ち下がりの特性が変化したり、記録ヘッド７ａ，７ｂ間で温度差が生じて、インクの粘度が変化したり、ノズルからの吐出特性が変化することを抑えることができるので、高品質の記録を行うことができる。
【００５５】
次に、図６及び図７を参照して、第２実施例の記録ヘッドユニット８について説明する。図６は断面図であり、図７は下面図である。なお、第１実施例と同一の部分には同一の符号を付して、その説明は省略する。
【００５６】
第２実施例の記録ヘッド７ａ，７ｂの下面に形成される複数のノズル群の配列は、記録ヘッド７ａに図７の紙面右側からマゼンタインク用の２列で千鳥格子状に配列されたノズル１１６ｍ、シアンインク用のノズル１１６ｃ１及びブラックインク用のノズル１１６ｋ１が列状に配列され、記録ヘッド７ｂに図６の紙面左側からイエローインク用の２列で千鳥格子状に配列されたノズル１１６ｙ、シアンインク用のノズル１１６ｃ２及びブラックインク用のノズル１１６ｋ２が列状に配列されている。即ち、各記録ヘッド７ａ，７ｂは、吐出頻度が高いブラックインクのノズル群となるノズル１１６ｋ１，１１６ｋ２を含み、互いに異なるマゼンタインクとイエローインクに対応するノズル群となるノズル１１６ｍ，１１６ｙを有して構成されている。
【００５７】
インクタンクは、各インクの色に応じて、ブラックインク用のインクタンク１０５ｋ、シアンインク用の２つのインクタンク１０５ｃ１，１０５ｃ２、イエローインク用のインクタンク１０５ｙ及びマゼンタインク用のインクタンク１０５ｍから成る。各インクタンクは、管１３１ｙ，１３１ｍ，１３１ｃ１，１３１ｃ２，１３１ｋ１，１３１ｋ２によって記録ヘッド７ａ，７ｂのインク供給口１３０ｙ，１３１ｍ，１３０ｃ１，１３０ｃ２，１３０ｋ１，１３０ｋ２に接続される。
【００５８】
以上、説明したように、第２実施例のインクジェット記録装置１では、ノズル配列を、吐出頻度の高いブラックインクに対応したノズル１１６ｋ１，１１６ｋ２を記録ヘッド７ａ，７ｂに分けているので、第１実施例と同様にＩＣチップ３３ａ，３３ｂ間及び記録ヘッド７ａ，７ｂ間で生じる温度差を小さくすることができる。よって、記録ヘッド７ａ，７ｂ間でのノズルからのインクの吐出特性の変化を抑えられるので、高品質に記録を行うことができる。
【００５９】
また、インクタンクの数が、全てのインク色に対応するノズルを記録ヘッド７ａ，７ｂにそれぞれ分けた場合と比較して少なくて済むと共に、各インクタンクと各ノズルとを連通する各管の数も少なくて済むので、構造が簡略化できると共に製作コストを低減することができる。
【００６０】
次に、図８及び図９を参照して、第３実施例の記録ヘッドユニット８について説明する。図８は断面図であり、図９は下面図である。なお、第３実施例のインクジェット記録装置１は、第１実施例の記録ヘッド７ａ，７ｂを一体で構成したものであり、第１実施例と同一の部分には同一の符号を付して、その説明は省略する。
【００６１】
第３実施例のインクジェット記録装置１は、ヘッドホルダ２０に１個の記録ヘッド２０７が支持されている。この記録ヘッド２０７の下面には、イエローインク用のノズル１６ｙ１、シアンインク用のノズル１６ｃ１、マゼンタインク用のノズル１６ｍ１及びブラックインク用のノズル１６ｋ１の複数のノズル群で構成されるグループＡと、イエローインク用のノズル１６ｙ２、シアンインク用のノズル１６ｃ２、マゼンタインク用のノズル１６ｍ２及びブラックインク用のノズル１６ｋ２の複数のノズル群で構成されるグループＢとが形成されている。
【００６２】
即ち、各グループＡ，Ｂには、吐出頻度が高いノズル１６ｋ１，１６ｋ２とその他のノズル１６ｙ１，１６ｙ２，１６ｃ１，１６ｃ２，１６ｍ１，１６ｍ２とが同数となるよう分けられていると共に、それぞれ同じ複数のインク色に対応するノズル群を有している。
【００６３】
記録ヘッド２０７は、１個のキャビティプレート２２５と、グループＡの各ノズルからインクを吐出させる圧電アクチュエータプレート２６ａと、グループＢの各ノズルからインクを吐出させる圧電アクチュエータプレート２６ｂとを備え、各圧電アクチュエータプレート２６ａ，２６ｂにそれぞれＩＣチップ３３ａ，３３ｂが接続されている。
【００６４】
よって、第３実施例のインクジェット記録装置１の記録ヘッド２０７は、各グループに吐出頻度が高いノズル１６ｋ１，１６ｋ２が分けられていると共に、複数のインク色に対応するノズル群が同数となるよう分けられているので、各グループ毎に吐出頻度の差がなくなる。従って、ＩＣチップ３３ａ，３３ｂの一方のみが温度が上昇することを低減でき、記録ヘッド２０７でのノズルからのインクの吐出特性が場所によって差が生じることを抑えられるので、高品質に記録を行うことができる。
【００６５】
なお、第３実施例では、キャビティプレート２２５を一体に製作して、圧電アクチュエータプレート２６ａ，２６ｂを２個並べて備えているが、圧電アクチュエータプレート２６ａ，２６ｂを一体に構成して、その上面の電極をノズル列と直交する方向に２群に分け、その各群毎にフレキシブル配線基板２７ａ，２７ｂを接続することもできる。
【００６６】
また、第２実施例の記録ヘッド７ａ，７ｂを一体にした構成とするものとしても良い。この場合、一体に構成された記録ヘッドの下面には、吐出頻度が高いノズル群としてブラックインク用のノズルをそれぞれ含み、異なるマゼンタインク及びイエローインクに対応するノズルを有するグループＡ，Ｂが構成される。
【００６７】
以上、実施例に基づいて本発明を説明したが、本発明は、上記実施例に何ら限定されるものではなく、本発明の趣旨を逸脱しない範囲内で種々の改良変形が可能であることは容易に推察できるものである。
【００６８】
例えば、上記第１又は第２実施例では、２個の記録ヘッド７ａ，７ｂで構成されるものとしたが、さらに多い複数の記録ヘッドで構成するものとしても良い。この場合、記録ヘッド毎にブラックインク用のノズル群を分けると共に、記録ヘッド毎にフレキシブル配線基板とＩＣチップを備えるものとする。
【００６９】
また、上記第３実施例では、記録ヘッド２０７に２つのグループＡ，Ｂを備えるものとしたが、さらに多い複数のグループで構成するものとしても良い。この場合、グループ毎にブラックインク用のノズル群を分けると共に、グループ毎にフレキシブル配線基板とＩＣチップを備えるものとする。
【図面の簡単な説明】
【００７０】
【図１】本発明の実施例におけるインクジェット記録装置と、そのインクジェット記録装置に装着されるインクカートリッジとを示した概略図である。
【図２】記録ヘッドユニットの構造を示す断面図である。
【図３】記録ヘッドユニットの下面図である。
【図４】記録ヘッド及びフレキシブル配線基板の分解斜視図である。
【図５】図２のＩＩＩ−ＩＩＩ断面線図である。
【図６】第２実施例の記録ヘッドユニットの構造を示した断面図である。
【図７】第２実施例の記録ヘッドユニットの下面図である。
【図８】第３実施例の記録ヘッドユニットの構造を示した断面図である。
【図９】第３実施例の記録ヘッドユニットの下面図である。
【符号の説明】
【００７１】
７ａ，７ｂ，２０７              記録ヘッド
９                              キャリッジ
１６ｙ１，１６ｙ２              ノズル
１６ｃ１，１６ｃ２              ノズル
１６ｍ１，１６ｍ２              ノズル
１６ｋ１，１６ｋ２              ノズル
２０                            ヘッドホルダ
２１                            プリント基板
２７ａ，２７ｂ                  フレキシブル配線基板
３３ａ，３３ｂ                  ＩＣチップ（駆動回路）
３５ａ，３５ｂ                  ヒートシンク
１１６ｙ                        ノズル
１１６ｃ１，１１６ｃ２          ノズル
１１６ｍ                        ノズル
１１６ｋ１，１１６ｋ２          ノズル
Ａ，Ｂ                          グループ
【図１】
2005193497.tif 000003
【図２】
2005193497.tif 000004
【図３】
2005193497.tif 000005
【図４】
2005193497.tif 000006
【図５】
2005193497.tif 000007
【図６】
2005193497.tif 000008
【図７】
2005193497.tif 000009
【図８】
2005193497.tif 000010
【図９】
2005193497.tif 000011